(57)【要約】【課題】イントラ予測のみを用いた低遅延画像符号化装置に、大容量メモリを追加することなく、かつ遅延時間の増加を抑えつつ、圧縮効率を高めた低遅延画像符号化装置及びその予測画像制御方法を提供する。【解決手段】前記ラインメモリを制御して、Ｏｄｄ ＭＢ ＬｉｎｅとＥｖｅｎ ＭＢ Ｌｉｎｅの１マクロブロックの画像データを交互に読出す読出し制御部と、ラインメモリから入力された画像データがＯｄｄ ＭＢ Ｌｉｎｅであればイントラ予測を選択し、Ｅｖｅｎ ＭＢ Ｌｉｎｅの画像データであればイントラ予測コスト値とインタ予測コスト値を比較し、イントラ予測コスト値がインタ予測コスト値未満であればイントラ予測を選択する予測画像選択部を有する。【選択図】図２
2014036281.tif 000002
【特許請求の範囲】
【請求項１】
マクロブロック単位で読出すための読出し制御信号を出力する読出し制御部、１スキャンライン単位に入力画像を保存し、３２ライン分のデータが保存されると、前記制御信号に応じて、１マクロブロックの画像データを出力するラインメモリ、前記１マクロブロックの画像データと参照画像データからインタ予測画像とインタ予測画像コスト値を生成する簡易インタ予測部、前記１マクロブロックの画像データと再構成画像データからイントラ予測画像とイントラ予測画像コスト値を生成するイントラ予測部、前記簡易インタ予測部及び前記イントラ予測の出力結果から、インタ予測画像とイントラ予測画像のどちらの予測画像を使用するかを画像選択結果として決定する予測制御部、前記画像選択結果に従って予測画像を選択する予測画像選択部、前記１マクロブロックの画像データと前記予測画像の差分を計算し残差画像として出力する残差画像生成部、前記残差画像に変換処理及び量子化処理を実施し、変換／量子化係数として出力する変換・量子部、前記画像選択結果に応じて動作し、前記変換／量子化係数を所定の可変長符号化方式に従って符号化ストリームに変換する可変長符号化部、前記変換／量子化係数に逆量子化及び逆変換処理を実施し、量子化誤差を含んだ残差画像として出力する逆変換・逆量子化部、前記残差画像と前記予測画像を加算処理することによって前記再構成画像を生成する再構成画像生成部、及び前記再構成画像を１ＭＢ分保存し、参照画像として出力する参照メモリを備えたことを特徴とする低遅延画像符号化装置。
【請求項２】
請求項１記載の低遅延画像符号化装置において、
前記読出し制御部は、前記ラインメモリを制御して、Ｏｄｄ ＭＢ ＬｉｎｅとＥｖｅｎ ＭＢ Ｌｉｎｅの１マクロブロックの画像データを交互に読出し、
前記予測画像選択部は、前記ラインメモリから入力された画像データがＯｄｄ ＭＢ Ｌｉｎｅであればイントラ予測を選択し、Ｅｖｅｎ ＭＢ Ｌｉｎｅの画像データであれば前記イントラ予測コスト値と前記インタ予測コスト値を比較し、前記イントラ予測コスト値が前記インタ予測コスト値未満であればイントラ予測を選択することを特徴とする低遅延画像符号化装置。
【請求項３】
低遅延画像符号化装置の予測画像制御方法において、１スキャンライン単位に入力する映像を３２ライン分保存し、Ｏｄｄ ＭＢ ＬｉｎｅとＥｖｅｎ ＭＢ Ｌｉｎｅの１マクロブロックの画像データを交互に読出し、前記ラインメモリから入力された画像データがＯｄｄ ＭＢ Ｌｉｎｅであればイントラ予測を選択し、Ｅｖｅｎ ＭＢ Ｌｉｎｅの画像データであれば前記イントラ予測コスト値と前記インタ予測コスト値を比較し、前記イントラ予測コスト値が前記インタ予測コスト値未満であればイントラ予測を選択することを特徴とする低遅延画像符号化装置の予測画像制御方法。
【発明の詳細な説明】
【技術分野】
【０００１】
本発明は、画素相関を利用して映像データを圧縮する画像符号化技術に関し、特に低遅延で画像圧縮伝送するための低遅延画像符号化装置及びその予測画像制御方法に関する。
【背景技術】
【０００２】
動画像符号化技術には、ピクチャ（フレーム）内の近傍画素の相関を用いて情報量を削減（圧縮）するイントラ予測（フレーム内予測）と、ピクチャ間の相関を用いて情報量を削減（圧縮）するインタ予測（フレーム間予測）という方法がある。
イントラ予測は、符号化対象となるブロックに対し、その対象ブロックの周辺画素から予測画像を生成し、対象ブロックと予測画像を比較した残差成分を圧縮符号化するものである。
また、インタ予測は、符号化対象となるブロックに対し、時間的に前後する符号化処理済みの参照ピクチャから予測画像を生成し、対象ブロックと予測画像を比較した残差成分を圧縮符号化するものである。
動画像符号化技術では、このイントラ予測とインタ予測を組合せて用いることで高い符号化効率（高圧縮率）を実現する（特許文献１参照。）。
【０００３】
なお、インタ予測は、イントラ予測に比べて、予測精度が高い傾向にある。即ち、高い画質を保ちつつ圧縮率を高めるため（即ち、高画質化及び高圧縮率化するため）には、インタ予測を積極的に用いる。一方で、イントラ予測とインタ予測の予測精度の差によって、圧縮率の変動が生じ、これが遅延時間増大の原因となっている。
低遅延画像符号化装置においては、こうした遅延時間増大の原因を回避するため、イントラ予測のみを用いて構成する場合がある。
【０００４】
イントラ予測のみを用いた低遅延画像符号化装置の一例を、図１によって説明する。図１は、従来の低遅延画像符号化装置の構成の一例を示すブロック図である。図１においては、低遅延画像符号化装置１００は、入力されたデジタル動画像（入力画像）を符号化し、符号化ストリームとして出力する。
図１の低遅延画像符号化装置１００において、１６ラインメモリ１０１は、低遅延画像符号化装置１００に入力されたデジタル動画像を、スキャンライン単位に入力画像を保存する。そして、１６ラインメモリ１０１は、保存されたラインデータが１６ライン分になると、１６×１６画素を１ＭＢ（マクロブロック）とする画像データを、残差画像生成部１０２及びイントラ予測部１０３に出力する。
イントラ予測部１０３は、入力された１ＭＢの画像データと再構成画像を用いて、最適な予測画像を生成し、残差画像生成部１０２及び再構成画像作成部１０７に出力する。
残差画像生成部１０２は、入力された１ＭＢの画像データと予測画像の差分を計算し、残差画像として、変換・量子部１０４に出力する。
変換・量子化部１０４は、入力された残差画像に変換処理及び量子化処理を実施し、変換／量子化係数として、可変長符号化部１０５及び逆変換・逆量子化部１０６に出力する。
可変長符号化部１０５は、入力された変換／量子化係数を、所定の可変長符号化方式に従って符号化ストリームに変換し、出力する。
【０００５】
また、逆変換・逆量子化部１０６は、入力された変換／量子化係数に逆量子化及び逆変換処理を実施し、量子化誤差を含んだ残差画像として、再構成画像作成部１０７に出力する。
再構成画像生成部１０７は、入力された残差画像と、入力された予測画像を加算処理することによって再構成画像を生成し、イントラ予測部１０３に出力する。
【０００６】
図１の構成による低遅延画像符号化装置１００によれば、１ピクチャ（１フレーム）分の入力画像を保存しなくても符号化処理を開始することができる。従って、少ないメモリで低遅延符号化処理が実現できる。
【先行技術文献】
【特許文献】
【０００７】
【特許文献１】特開２０１０−４１４０８号公報
【発明の概要】
【発明が解決しようとする課題】
【０００８】
上述したように、インタ予測は、イントラ予測に比べて、予測精度が高い傾向にある。この理由の１つとして、イントラ予測では対象ＭＢの周辺画素から予測画像を生成するため、周辺画素からの距離が離れるほど、予測精度が低下するという性質が挙げられる。
そのため、符号化効率を高めるためには、インタ予測を使用した符号化処理が望ましい。
しかし、その一方で、インタ予測は、処理に必要な参照画像を保存するための大容量メモリが必要である。
本発明の目的は、上述の問題に鑑み、上述のイントラ予測のみを用いた低遅延画像符号化装置に、大容量メモリを追加することなく、かつ遅延時間の増加を抑えつつ、圧縮効率を高めた低遅延画像符号化装置及びその予測画像制御方法を提供することにある。
【課題を解決するための手段】
【０００９】
上記の目的を達成するため、本発明の低遅延画像符号化装置は、マクロブロック単位で読出すための読出し制御信号を出力する読出し制御部、１スキャンライン単位に入力画像を保存し、３２ライン分のデータが保存されると、前記制御信号に応じて、１マクロブロックの画像データを出力するラインメモリ、前記１マクロブロックの画像データと参照画像データからインタ予測画像とインタ予測画像コスト値を生成する簡易インタ予測部、前記１マクロブロックの画像データと再構成画像データからイントラ予測画像とイントラ予測画像コスト値を生成するイントラ予測部、前記簡易インタ予測部及び前記イントラ予測の出力結果から、インタ予測画像とイントラ予測画像のどちらの予測画像を使用するかを画像選択結果として決定する予測制御部、前記画像選択結果に従って予測画像を選択する予測画像選択部、前記１マクロブロックの画像データと前記予測画像の差分を計算し残差画像として出力する残差画像生成部、前記残差画像に変換処理及び量子化処理を実施し、変換／量子化係数として出力する変換・量子部、前記画像選択結果に応じて動作し、前記変換／量子化係数を所定の可変長符号化方式に従って符号化ストリームに変換する可変長符号化部、前記変換／量子化係数に逆量子化及び逆変換処理を実施し、量子化誤差を含んだ残差画像として出力する逆変換・逆量子化部、前記残差画像と前記予測画像を加算処理することによって前記再構成画像を生成する再構成画像生成部、及び前記再構成画像を１ＭＢ分保存し、参照画像として出力する参照メモリを備えたことを本発明の第１の特徴とする。
【００１０】
上記本発明の第１の特徴の低遅延画像符号化装置において、前記読出し制御部は、前記ラインメモリを制御して、Ｏｄｄ ＭＢ ＬｉｎｅとＥｖｅｎ ＭＢ Ｌｉｎｅの１マクロブロックの画像データを交互に読出し、前記予測画像選択部は、前記ラインメモリから入力された画像データがＯｄｄ ＭＢ Ｌｉｎｅであればイントラ予測を選択し、Ｅｖｅｎ ＭＢ Ｌｉｎｅの画像データであれば前記イントラ予測コスト値と前記インタ予測コスト値を比較し、前記イントラ予測コスト値が前記インタ予測コスト値未満であればイントラ予測を選択することを本発明の第２の特徴とする。
【００１１】
また、上記の目的を達成するため、本発明の低遅延画像符号化装置の予測画像制御方法は、低遅延画像符号化装置の予測画像制御方法において、１スキャンライン単位に入力する映像を３２ライン分保存し、Ｏｄｄ ＭＢ ＬｉｎｅとＥｖｅｎ ＭＢ Ｌｉｎｅの１マクロブロックの画像データを交互に読出し、前記ラインメモリから入力された画像データがＯｄｄ ＭＢ Ｌｉｎｅであればイントラ予測を選択し、Ｅｖｅｎ ＭＢ Ｌｉｎｅの画像データであれば前記イントラ予測コスト値と前記インタ予測コスト値を比較し、前記イントラ予測コスト値が前記インタ予測コスト値未満であればイントラ予測を選択することを本発明の第３の特徴とする。
【発明の効果】
【００１２】
本発明によれば、少ないメモリでイントラ予測符号化よりも高効率な画像符号化装置が提供可能となる。
【図面の簡単な説明】
【００１３】
【図１】従来の低遅延画像符号化装置の一例を示すブロック図である。
【図２】本発明の低遅延符号化装置の一実施例の構成を示すブロック図である。
【図３】本発明の低遅延画像符号化装置において、読出し制御部が３２ラインメモリからＭＢの画像データを読出すための読出し制御方法の一実施例を説明するための図である。
【図４】本発明の低遅延画像符号化装置の予測制御部における予測画像制御の動作手順の一実施例を説明するためのフローチャートである。
【図５】本発明の低遅延画像符号化装置の予測制御部における簡易インタ予測画像生成方法の一実施例を説明するための図である。
【発明を実施するための形態】
【００１４】
本発明の低遅延画像符号化装置は、１ライン単位に入力する映像を３２ライン分保存するメモリ、３２ラインの画像データの奇数ライン１６ラインを１６×１６画素のＭＢに分割しイントラ予測符号化する手段、イントラ符号化により得られた１６ライン分の参照画像データを保存するメモリを備え、３２ラインの画像データの偶数ライン１６ラインを１６×１６画素を１ＭＢとするＭＢ単位の画像データに分割し、当該ＭＢの画像データについて１６ライン分の参照画像データを使用してイントラ予測符号化及びインタ予測符号化するものである。
即ち、本発明は、奇数ラインで構成された１マクロブロック（ＭＢ）の符号化画像を参照して、偶数ラインの１ＭＢの予測画像を生成する手段を有する。
以下に本発明の一実施形態について、図面等を用いて説明する。
なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
また、本書では、既に説明した図１を含め、以降の各図の説明において、共通な機能を有する構成要素には同一の参照番号を付し、説明をできるだけ省略する。
【００１５】
図２によって、本発明の低遅延符号化装置の一実施例の処理の流れを説明する。図２は、本発明の低遅延符号化装置の一実施例の構成を示すブロック図である。
本実施例では、被写体を撮影して記録媒体に記録するという構成を説明するが、既に撮影された動画像を入力する形態であってもよく、符号化された動画像データをストリームデータ（符号化ストリーム）として外部に出力せずに、記録媒体に記録する形態であっても良い。
図２の低遅延符号化装置２００の構成は、図１で示した従来構成に対し、入力画像を入力するラインメモリを、１６ラインメモリ１０１から、３２ライン分のラインデータを保存する３２ラインメモリ２０１に変更し、当該３２ラインメモリ２０１の読出し制御部２１１を追加している。また、従来の予測処理ブロックのイントラ予測部１０３に加えて、簡易インタ予測部２１２を追加している。さらに、低遅延符号化装置２００は、簡易インタ予測するための参照画像データを１ＭＢ分保存し、簡易インタ予測部２１２に出力する参照画像メモリ２１３を追加している。またさらに、低遅延符号化装置２００は、簡易インタ予測部２１２とイントラ予測部１０３の予測処理を制御する予測制御部２１４と、予測画像を選択するための予測画像選択部２１５を追加している。
【００１６】
図２において、読出し制御部２１１は、３２ラインメモリ２０１に、１ＭＢ単位で画像データを読出すための読出し制御信号を出力する。読出し制御部２１１の読出し制御方法の詳細は、後述する。
３２ラインメモリ２０１は、１スキャンライン単位に入力画像を保存し、３２ライン分のデータが保存されると、読出し制御部２１１からの制御信号に応じて、１ＭＢの画像データを出力する。即ち、３２ラインメモリ２０１は、１６×１６画素単位のＭＢの画像データを、残差画像生成部１０２に出力すると共に、簡易インタ予測部２１２とイントラ予測部１０３に出力する。
簡易インタ予測部２１２は、入力された１ＭＢの画像データと参照画像データからインタ予測画像とインタ予測画像コスト値を生成し、生成したインタ予測画像を予測画像選択部２１５に出力する。また簡易インタ予測部２１２は、インタ予測画像生成時に得られたインタ予測画像コスト値を予測制御部２１４に出力する。簡易インタ予測部２１２における予測画像生成方法及びコスト算出方法の詳細は、後述する。
【００１７】
イントラ予測部１０３は、入力された１ＭＢの画像データと再構成画像データからイントラ予測画像とイントラ予測画像コスト値を生成し、生成したイントラ予測画像を予測画像選択部２１５に出力する。またイントラ予測部１０３は、予測画像生成時に得られたイントラ予測画像コスト値を予測制御部２１４に出力する。
予測制御部２１４は、入力されたイントラ予測コスト値とインタ予測コスト値を比較して、どちらの予測画像を使用するかを決定し、画像選択結果として予測画像選択部２１５及び可変長符号化部１０５に出力する。
予測画像選択部２１５は、入力されたイントラ予測画像とインタ予測画像から、予測画像選択結果に従って、出力する予測画像を選択し、残差画像生成部１０２及び逆変換・逆量子化部１０６に出力する。
残差画像生成部１０２、変換・量子化部１０４、可変長符号化部１０５、逆変換・逆量子化部１０６、及び再構成画像生成部１０７の動作は、図１と同様であるので、説明を省略する。ただし、可変長符号化部１０６は、予測制御部２１４から入力される制御信号（画像選択結果）に応じて動作し、再構成画像作成部１０７は、生成した再構成画像を、イントラ予測部１０３に出力すると共に、参照画像メモリ２１３に出力する。
参照画像メモリ２１３は、入力された再構成画像を１ＭＢ分保存し、参照画像として簡易インタ予測部２１２に出力する。
【００１８】
図２と図３によって、本発明の読出制御の一実施例について説明する。図３は、本発明の低遅延画像符号化装置２００において、読出し制御部２１１が３２ラインメモリ２０１からＭＢ単位の画像データを読出すための読出し制御方法の一実施例を説明するための図である。
この実施例では、図３に示すように、本発明の低遅延画像符号化装置２００は、３２ラインメモリ２０１の入力画像を保存するラインメモリを、奇数ラインと偶数ラインに分けている。そして、奇数ラインで構成される領域をＯｄｄ ＭＢ Ｌｉｎｅ、偶数ラインで構成される領域をＥｖｅｎ ＭＢ Ｌｉｎｅとする。
読出し制御部２１１は、図３の矢印３０１の示す順番で、まずＯｄｄ ＭＢ Ｌｉｎｅから１ＭＢの画像データを読出し、続いてＥｖｅｎ ＭＢ Ｌｉｎｅの１ＭＢの画像データを読出す。その後、図３の矢印３０２で示すように、右側のＯｄｄ ＭＢ Ｌｉｎｅの１ＭＢの画像データを読出し、続いてＥｖｅｎ ＭＢ Ｌｉｎｅの１ＭＢの画像データを読み出す、・・・という順で、交互に、Ｏｄｄ ＭＢ ＬｉｎｅとＥｖｅｎ ＭＢ Ｌｉｎｅの画像データを１ＭＢずつ読出す読出し制御を行う。
以降、Ｏｄｄ ＭＢ Ｌｉｎｅから読出された１ＭＢの画像データをＯｄｄ ＭＢと呼び、Ｅｖｅｎ ＭＢ Ｌｉｎｅから読み出された１ＭＢの画像データをＥｖｅｎ ＭＢと呼ぶ。
【００１９】
図２と図４によって、本発明の低遅延画像符号化装置における予測画像制御方法の一実施例を説明する。図４は、本発明の低遅延画像符号化装置２００の予測制御部２１４における予測画像制御の動作手順の一実施例を説明するためのフローチャートである。
上述したように、予測制御部２１４は、入力されたイントラ予測コスト値（ＩｎｔｒａＣｏｓｔ）とインタ予測コスト値（ＩｎｔｅｒＣｏｓｔ）を比較して、どちらの予測画像を使用するかを決定し、選択結果を予測画像選択部２１５及び可変長符号化部１０５に出力するものである。
まずＯｄｄ ＭＢ判定ステップＳ４０１では、予測制御部２１４は、入力されたイントラ予測画像コスト値のＭＢの画像データが、Ｏｄｄ ＭＢであるか、Ｅｖｅｎ ＭＢであるかを判定する。予測制御部２１４は、入力されたイントラ予測画像コスト値のＭＢの画像データが、Ｏｄｄ ＭＢであると判定した場合には、イントラ予測選択ステップＳ４０２の処理に移行する。また、予測制御部２１４は、入力されたイントラ予測画像コスト値のＭＢの画像データが、Ｅｖｅｎ ＭＢであると判定した場合には、コスト値判定ステップＳ４０３の処理に移行する。
イントラ予測選択ステップＳ４０２では、予測制御部２１４は、イントラ予測を選択して、選択結果を予測画像選択部２１５及び可変長符号化部１０５に出力する。
コスト値判定ステップＳ４０３では、予測制御部２１４は、イントラ予測コスト値とインタ予測コスト値を比較する。そして、予測制御部２１４は、イントラ予測コスト値がインタ予測コスト値未満（ＩｎｔｒａＣｏｓｔ＜ＩｎｔｅｒＣｏｓｔ）である場合には、イントラ予測選択ステップＳ４０２の処理に移行する。また、予測制御部２１４は、イントラ予測コスト値がインタ予測コスト値未満（ＩｎｔｒａＣｏｓｔ≧ＩｎｔｅｒＣｏｓｔ）である場合には、インタ予測選択ステップＳ４０４の処理に移行する。
インタ予測選択ステップＳ４０４では、予測制御部２１４は、インタ予測を選択して、選択結果を予測画像選択部２１５及び可変長符号化部１０５に出力する。
【００２０】
以上のように、本発明の低遅延画像符号化装置における予測画像制御方法の一実施例では、入力されたイントラ予測画像コスト値のＭＢの画像データがＯｄｄ ＭＢの場合には、常にイントラ予測画像を選択する。また、入力されたイントラ予測画像コスト値のＭＢの画像データがＥｖｅｎ ＭＢの場合には、各予測部から入力したイントラ予測コスト値とインタ予測コスト値を比較し、コスト値の小さい予測方法を選択する。また、両方のコスト値が同一の場合には、インタ予測方法を選択する。
【００２１】
図２と図５によって、本発明の低遅延画像符号化装置における予測画像制御方法の一実施例を説明する。図５は、本発明の低遅延画像符号化装置２００の予測制御部２１４における簡易インタ予測画像生成方法の一実施例を説明するための図である。５０１は１６×１６画素（ｐｉｘ）のＯｄｄ ＭＢと１６×１６画素（ｐｉｘ）のＥｖｅｎ ＭＢが、１ラインずつ交互に並んだ画素位置にあることを示す図である。また、５０２はその中の１部を示す図である。さらに、５０２’は、図５０２を拡大表示した図である。
簡易インタ予測部２１２は、参照画像メモリ２１３から出力されたＯｄｄ ＭＢの参照画像をもとに、Ｅｖｅｎ ＭＢのインタ予測画像を生成する。
Ｏｄｄ ＭＢとＥｖｅｎ ＭＢのピクチャ上の画素位置関係は、図５に示すような関係となっている。そこで、Ｏｄｄ ＭＢの参照画像をもとに、Ｅｖｅｎ ＭＢ相当位置の参照画素を算出する。例えば、本発明の参照画素算出方法は、Ｈ.２６４の１／２参照画素生成方法と同じ方法で実施する。即ち、図５０２’中、参照画素生成対象Ｘを、上下３画素ずつ、Ｏｄｄ ＭＢから参照画素を用いて、次の式（１）により求める。
【００２２】
【数１】
2014036281.tif 000003
なお、ＭＢ上端の画素が、Ｏｄｄ ＭＢの参照画素ではない場合は、Ｏｄｄ ＭＢ下端の画素をコピーして使用する。また、ＭＢ下端の画素が、Ｏｄｄ ＭＢの参照画素ではない場合は、Ｏｄｄ ＭＢ上端の画素をコピーして使用する。
簡易インタ予測画像生成処理では、前述したＥｖｅｎ ＭＢ相当位置の１６×１６参照画像をインタ予測画像として出力する。
【００２３】
次に、本発明の低遅延画像符号化装置のイントラ予測部１０３及び簡易インタ予測部２１２におけるコスト算出方法について説明する。
予測コスト値は、残差コストＳＡＤを用いる。
残差コストは、差分絶対値和ＳＡＤにより得られる。ＳＡＤは、入力ＭＢをｉｎｐｕｔとし、予測画像をｐｒｅｄとしたとき、次の式（２）にて得られる。
【００２４】
【数２】
2014036281.tif 000004
なお、予測情報に必要なヘッダコストλを残差コストに加算すると、さらに正確なコストを算出可能である。
【００２５】
次に、本発明の低遅延画像符号化装置における符号化シンタクス要素の追加方法の一実施例を、Ｈ．２６４／ＡＶＣ符号化方式に拡張した場合について説明する。
まず、本発明により符号化されるストリームは、表１に示すようにスライスヘッダのｓｌｉｃｅ_ｔｙｐｅシンタクスを１０として符号化する。
【００２６】
【表１】
2014036281.tif 000005
続いて、Ｅｖｅｎ ＭＢでインタ予測方式が選択され、かつ、ＭＢ内の変換／量子化係数の値が全て０（ゼロ）だった場合には、表２に示す通り、ｅｖｅｎ_ｍｂ_ｓｋｉｐ_ｆｌａｇを１として符号化する。この場合、当該ＥｖｅｎＭＢに関するｍａｃｒｏｌｏｃｋ_ｌａｙｅｒ情報はストリームに多重されない。
【００２７】
【表２】
2014036281.tif 000006
【００２８】
本発明における符号化方法で符号化された場合、Ｏｄｄ ＭＢとＥｖｅｎ ＭＢのｍｂ＿ｔｙｐｅシンタクスは、表３に示す通りにアサインする。
Ｏｄｄ ＭＢは、従来のＩスライスにおけるｍｂ＿ｔｙｐｅのアサイン方法と同様であり、Ｅｖｅｎ ＭＢではインタ予測の場合、ｍｂ＿ｔｙｐｅ＝０とし、イントラ予測の場合ｍｂ＿ｔｙｐｅ＝１以上の値をとる。
【００２９】
【表３】
2014036281.tif 000007
【００３０】
従来のＨ．２６４／ＡＶＣ符号化方式におけるインタ予測では、ＭＢヘッダの予測情報ｍｂ＿ｐｒｅｄ（）として、参照ピクチャのインデクス情報や動きベクトル情報をストリームに多重する。しかし、上述の実施例によるインタ予測では、参照位置が固定されていることから、インタ予測に関する予測情報を多重する必要が無い。
なお、上述の実施例におけるＭＢヘッダの予測情報ｍｂ＿ｐｒｅｄを表４に示す。
【００３１】
【表４】
2014036281.tif 000008
【符号の説明】
【００３２】
１００：低遅延画像符号化装置、  １０１：１６ラインメモリ、  １０２：残差画像生成部、  １０３：イントラ予測部、  １０４：変換・量子部、  １０５：可変長符号化部、  １０６：逆変換・逆量子化部、  １０７：再構成画像作成部、  ２００：低遅延画像符号化装置、  ２０１：３２ラインメモリ、  ２１１：読出し制御部、  ２１２；簡易インタ予測部、  ２１３：参照画像メモリ、  ２１４：予測制御部、  ２１５：予測画像選択部。
【図１】
2014036281.tif 000009
【図２】
2014036281.tif 000010
【図３】
2014036281.tif 000011
【図４】
2014036281.tif 000012
【図５】
2014036281.tif 000013